(57)【要約】【課題】洗米時に内釜の内面が傷つきにくいようにすることができる炊飯器の内釜保護シートを提供する。【解決手段】洗米時に、炊飯器の内釜２０の内面２１に沿って配置されるシート本体１１と、シート本体１１の裏面に一体に設けられ、内釜２０の内面２１に吸着されることでシート本体１１を内釜２０の内面２１に沿って吸着する複数の吸盤１３とを備え、シート本体１１は、平面視で中央に位置する中央部１１ｃと、中央部１１ｃから外方に向かって放射状に一体に延びる複数の放射片１１ｄとを有し、各放射片１１ｄ同士の間には、中央部１１ｃから外方へ向かうにしたがって広がる空所１１ｇが形成され、吸盤１３は、少なくとも放射片１１ｄの縁部１１ｆに沿って設けられている。【選択図】図２
2020192059.tif 000002
【特許請求の範囲】
【請求項１】
洗米時に、炊飯器の内釜（２０）の内面（２１）に沿って配置されるシート本体（１１）と、
このシート本体（１１）の裏面（１２）に一体に設けられ、内釜（２０）の内面（２１）に吸着されることで前記シート本体（１１）を内釜（２０）の内面（２１）に沿って吸着する複数の吸盤（１３）と、
を備えていることを特徴とする炊飯器の内釜保護シート。
【請求項２】
請求項１において、
前記シート本体（１１）は、平面視で中央に位置する中央部（１１ｃ）と、
この中央部（１１ｃ）から外方に向かって放射状に一体に延びる複数の放射片（１１ｄ）と、
を有し、
各放射片（１１ｄ）同士の間には、中央部（１１ｃ）から外方へ向かうにしたがって広がる空所（１１ｇ）が形成され、
前記吸盤（１３）は、少なくとも前記放射片（１１ｄ）の縁部（１１ｆ）に沿って設けられていることを特徴とする炊飯器の内釜保護シート。
【請求項３】
請求項２において、
前記放射片（１１ｄ）の先端には摘み部（１１ｈ）が設けられていることを特徴とする炊飯器の内釜保護シート。
【請求項４】
請求項３において、
平面視正方形のシートの各辺中央部（１１ｂ）に、くさび形の空所（１１ｇ）を設けることで、前記放射片（１１ｄ）および摘み部（１１ｈ）が形成され、かつ、前記くさび形空所（１１ｇ）により形成された放射片（１１ｄ）の角部に第２摘み部（１１ｋ）が形成されることを特徴とする炊飯器の内釜保護シート。
【発明の詳細な説明】
【技術分野】
【０００１】
本発明は、炊飯器の内釜保護シートに関するものである。特に、炊飯器の内釜を用いて洗米を行う際に、内釜の内面が傷つきにくいようにする炊飯器の内釜保護シートに関するものである。
【背景技術】
【０００２】
従来、例えば特許文献１に見られるように、炊飯器１００は内釜１を備えている。
このような内釜１は、洗米するのに用いられることがあり、その際、洗米作業によって、内釜１の内面が傷ついてしまうことがある。
【先行技術文献】
【特許文献】
【０００３】
【特許文献１】特開2019-41839号公報
【発明の概要】
【発明が解決しようとする課題】
【０００４】
本発明が解決しようとする課題は、洗米時に内釜の内面が傷つきにくいようにすることができる炊飯器の内釜保護シートを提供することである。
【課題を解決するための手段】
【０００５】
上記課題を解決するために本発明の炊飯器の内釜保護シートは、
洗米時に、炊飯器の内釜の内面に沿って配置されるシート本体と、
このシート本体の裏面に一体に設けられ、内釜の内面に吸着されることで前記シート本体を内釜の内面に沿って吸着する複数の吸盤と、
を備えていることを特徴とする。
【０００６】
この炊飯器の内釜保護シートによれば、内釜を用いて洗米する時、内釜の内面に沿って吸着させることができるので、内釜の内面が傷つきにくいようにすることができる。
【０００７】
この炊飯器の内釜保護シートにおいては、
前記シート本体は、平面視で中央に位置する中央部と、
この中央部から外方に向かって放射状に一体に延びる複数の放射片と、
を有し、
各放射片同士の間には、中央部から外方へ向かうにしたがって広がる空所が形成され、
前記吸盤は、少なくとも前記放射片の縁部に沿って設けられている構成とすることができる。
【０００８】
このように構成すると、
シート本体の中央部を内釜の底面に配置し、中央部から外方に向かって放射状に一体に延びる複数の放射片を内釜の底面ないし内周面に沿わせて配置することができる。
そして、各放射片同士の間には、中央部から外方へ向かうにしたがって広がる空所が形成されているので、この空所を利用して放射片同士の間隔を調整することで、寸法の異なる内釜にも利用することができるようになる。
しかも、前記吸盤は、少なくとも前記放射片の縁部に沿って設けられているので、内釜の底面ないし内周面に沿わせて好適に吸着させることができる。
【０００９】
この炊飯器の内釜保護シートにおいては、
前記放射片の先端には摘み部が設けられている構成とすることができる。
このように構成すると、使用後、保護シートを内釜内面から容易に剥がすことができる。
【００１０】
この炊飯器の内釜保護シートにおいては、
平面視正方形のシートの各辺中央部に、くさび形の空所を設けることで、前記放射片および摘み部が形成され、かつ、前記くさび形空所により形成された放射片の角部に第２摘み部が形成される構成とすることができる。
【００１１】
このように構成すると、保護シートを容易に構成することができるばかりでなく、くさび形空所により形成された放射片の角部に第２摘み部が形成されるので、使用後、保護シートを内釜内面から一層容易に剥がすことができるようになる。
【図面の簡単な説明】
【００１２】
【図１】本発明に係る炊飯器の内釜保護シートの実施の形態を示す図で、（ａ）は平面図、（ｂ）は図（ａ）におけるｂ−ｂ端面図、（ｃ）は底面図。
【図２】部分切断使用状態参考斜視図。
【発明を実施するための形態】
【００１３】
以下、本発明に係る炊飯器の内釜保護シートの実施の形態について図面を参照して説明する。なお、各図において、同一部分ないし相当する部分には、同一の符号を付してある。
【００１４】
図１、図２に示すように、この実施の形態の炊飯器の内釜保護シート１０は、
洗米時に、炊飯器の内釜２０の内面２１に沿って配置されるシート本体１１と、
このシート本体１１の裏面（底面）１２に一体に設けられ、内釜２０の内面２１に吸着されることでシート本体１１を内釜２０の内面２１に沿って吸着する複数の吸盤１３と、
を備えている。
【００１５】
この炊飯器の内釜保護シート１０によれば、内釜２０を用いて洗米する時、例えば図２に示すように、内釜２０の内面２１に沿って吸着させることができるので、内釜２０の内面２１が傷つきにくいようにすることができる。洗米後は、内釜２０から取り外す。
【００１６】
図１（ａ）に示すように、シート本体１１は、平面視で中央に位置する中央部１１ｃと、
この中央部１１ｃから外方に向かって放射状に一体に延びる複数（図示のものは４つ）の放射片１１ｄと、を有し、
各放射片１１ｄ同士の間には、中央部１１ｃから外方へ向かうにしたがって広がる空所（切り欠き）１１ｇが形成され、
吸盤１３は、少なくとも放射片１１ｄの縁部１１ｆに沿って設けられている。
【００１７】
このように構成すると、例えば図２に示すように、シート本体１１の中央部１１ｃを内釜２０の底面２２に配置し、中央部１１ｃから外方に向かって放射状に一体に延びる複数の放射片１１ｄを内釜２０の底面２２ないし内周面２３に沿わせて配置することができる。
【００１８】
そして、各放射片１１ｄ同士の間には、中央部１１ｃから外方へ向かうにしたがって広がる空所１１ｇが形成されているので、この空所１１ｇを利用して放射片１１ｄ同士の間隔を調整することで、寸法の異なる内釜２０にも利用することができるようになる。
【００１９】
しかも、吸盤１３は、少なくとも放射片１１ｄの縁部１１ｆに沿って設けられているので、内釜２０の底面２２ないし内周面２３に沿わせて好適に吸着させることができる。つまり、放射片１１ｄの縁部１１ｆを吸盤でしっかり吸着させることで、放射片１１ｄの内釜内面２１からの浮きを防止することができる。
【００２０】
放射片１１ｄの先端には摘み部１１ｈが設けられている。
このように構成すると、使用後、保護シート１０を内釜２０内面２１から容易に剥がすことができる。
【００２１】
この実施の形態の保護シート１０は、平面視正方形のシート（仮想線参照）の各辺中央部１１ｂに、くさび形の空所１１ｇを設けることで、放射片１１ｄおよび摘み部１１ｈが形成され、かつ、くさび形空所１１ｇにより形成された放射片１１ｄの角部に第２摘み部１１ｋが形成される。
【００２２】
このように構成すると、保護シート１０を容易に構成することができるばかりでなく、くさび形空所１１ｇにより形成された放射片１１ｄの角部に第２摘み部１１ｋが形成されるので、使用後、保護シート１０を内釜内面２１から一層容易に剥がすことができるようになる。
【００２３】
保護シート１０の材質は適宜の材質を採用し得る、例えばシリコーン樹脂シート、シリコーンゴムシート等を採用し得る。
シート本体１１の厚さも適宜設定できる。例えば０．５〜１ｍｍ程度とするのが望ましい。
吸盤１３の大きさ、構造は、公知の適宜のものを採用し得る。
【００２４】
以上、本発明の実施の形態について説明したが、本発明は上記の実施の形態に限定されるものではなく、本発明の要旨の範囲内において適宜変形実施可能である。
例えば、
図示の保護シート１０では、中央部１１ｃの裏面には吸盤１３が設けられていないが、吸盤１３を設けてもよい。
【符号の説明】
【００２５】
１０：    炊飯器の内釜保護シート
１１：    シート本体
１１ｃ：  中央部
１１ｄ：  放射片
１１ｇ：  空所
１１ｈ：  摘み部
１１ｋ：  第２摘み部
１２：    裏面
１３：    吸盤
２０：    内釜
２１：    内面
【図１】
2020192059.tif 000003
【図２】
2020192059.tif 000004